(57)【要約】      （修正有）【課題】ロータ・ロータトランス巻線の結線作業において、はんだ接続部の絶縁作業や絶縁部の巻線箇所へのしまい込み作業をなくすことができ、製造時の作業性を向上させることのできるブラシレス励磁型回転電機の結線用構造を提供する。【解決手段】ブラシレス励磁型回転電機の結線用構造１０は、ブラシレス励磁型回転電機２０のロータ鉄心２８とロータトランス鉄心２６の間に設けられた構造であって、絶縁性の支持板２と、支持板２を貫通して設けられ各面側に突出した絡げ部４Ａ、４Ｂを有する導通手段３とからなり、導通手段３には、ロータ鉄心２８およびロータトランス鉄心２６双方の巻線２７、２５の各端部２７Ｂが各絡げ部４Ｂ、４Ａに絡げて結線される構成とする。【選択図】図１
2017026531.tif 000002
【特許請求の範囲】
【請求項１】
ブラシレス励磁型回転電機のロータ鉄心とロータトランス鉄心の間に設けられた結線用構造であって、絶縁性の支持板と、該支持板を貫通して設けられ各面側に突出した絡げ部を有する導通手段とからなり、該導通手段は、該ロータ鉄心およびロータトランス鉄心双方の巻線の端部を各絡げ部に絡げて結線するためのものであることを特徴とする、ブラシレス励磁型回転電機の結線用構造。
【請求項２】
前記導通手段はピンの形態であることを特徴とする、請求項１に記載のブラシレス励磁型回転電機の結線用構造。
【請求項３】
前記ロータトランス鉄心の端部に設けられていることを特徴とする、請求項１または２に記載のブラシレス励磁型回転電機の結線用構造。
【請求項４】
前記ロータ鉄心の端部に設けられていることを特徴とする、請求項１または２に記載のブラシレス励磁型回転電機の結線用構造。
【請求項５】
請求項１ないし４のいずれかに記載の結線用構造に結線がなされてなる、ブラシレス励磁型回転電機の結線構造。
【請求項６】
請求項１ないし４のいずれかに記載の結線用構造のロータ鉄心側の絡げ部にロータ鉄心巻線端部を絡げて接続し、ロータトランス鉄心側の絡げ部にロータトランス鉄心巻線端部を絡げて接続することで両巻線を結線することを特徴とする、ブラシレス励磁型回転電機の製造方法。
【請求項７】
請求項５に記載の結線構造を備えた、ブラシレス励磁型回転電機。
【請求項８】
請求項５に記載の結線構造を備えた、シンクロ転電機。
【請求項９】
請求項５に記載の結線構造を備えた、レゾルバ。
【発明の詳細な説明】
【技術分野】
【０００１】
本発明はブラシレス励磁型回転電機の結線用構造、結線構造、ブラシレス励磁型回転電機およびその製造方法に係り、特に、シンクロやレゾルバといったブラシレス励磁型のシンクロ電機におけるロータ・ロータトランス巻線の結線方法に関するものである。
【背景技術】
【０００２】
後掲特許文献開示技術は従来のシンクロ電機に関する一般的なものであるが、かかるシンクロ電機のうちブラシレス励磁型のシンクロ電機におけるロータ・ロータトランス巻線の結線方式を説明する断面図を、図３に示す。図示するように従来のシンクロ電機９２０では、接続用リード線９１０を用いてロータ巻線９２７およびロータトランス巻線９２５を接続する。すなわち、ロータ巻線９２７、ロータトランス巻線９２５それぞれの巻き終わりを、接続用リード線９１０で中継する形で接続する。
【０００３】
そして、接続用リード線９１０の両端部において、はんだ結線・絶縁処理部９３のように、各巻線９２７、９２５とのはんだ結線・絶縁処理をしている。接続用リード線９１０は、ロータトランス鉄心９２６の貫通穴９８を通して用いられ、ロータ巻線９２７およびロータトランス巻線９２５を接続する。なお、ロータ巻線９２７側においては、はんだ・絶縁処理部のしまい込み作業もなされている（図示せず）。
【先行技術文献】
【特許文献】
【０００４】
【特許文献１】特開昭６２−１１５３２０号公報「シンクロ電機装置」
【発明の概要】
【発明が解決しようとする課題】
【０００５】
しかし、従来の方式には問題点があった。それは、ロータ巻線９２７、ロータトランス巻線９２５、それぞれの巻き終わりを接続用リード線９１０と中継する際、はんだ接続部の絶縁作業が必要であること、また、絶縁部の巻線箇所へのしまい込み作業が必要であることである。
【０００６】
そこで本発明が解決しようとする課題は、かかる従来技術の問題点をなくし、ロータ・ロータトランス巻線の結線作業において、はんだ接続部の絶縁作業や絶縁部の巻線箇所へのしまい込み作業をなくすことができ、それによって製造時の作業性を向上させることのできる、ブラシレス励磁型回転電機の結線用構造等を提供することである。
【課題を解決するための手段】
【０００７】
本願発明者は上記課題について検討した結果、ロータ軸のロータ鉄心、ロータトランス鉄心間の絶縁物に接続用の導通ピンを設け、双方の巻線の巻き終わりをピンに絡げてはんだ接続することによって解決できることを見出し、これに基づいて本発明を完成するに至った。すなわち、上記課題を解決するための手段として本願で特許請求される発明、もしくは少なくとも開示される発明は、以下の通りである。
【０００８】
〔１〕  ブラシレス励磁型回転電機のロータ鉄心とロータトランス鉄心の間に設けられた結線用構造であって、絶縁性の支持板と、該支持板を貫通して設けられ各面側に突出した絡げ部を有する導通手段とからなり、該導通手段は、該ロータ鉄心およびロータトランス鉄心双方の巻線の端部を各絡げ部に絡げて結線するためのものであることを特徴とする、ブラシレス励磁型回転電機の結線用構造。
〔２〕  前記導通手段はピンの形態であることを特徴とする、〔１〕に記載のブラシレス励磁型回転電機の結線用構造。
【０００９】
〔３〕  前記ロータトランス鉄心の端部に設けられていることを特徴とする、〔１〕または〔２〕に記載のブラシレス励磁型回転電機の結線用構造。
〔４〕  前記ロータ鉄心の端部に設けられていることを特徴とする、〔１〕または〔２〕に記載のブラシレス励磁型回転電機の結線用構造。
〔５〕  〔１〕ないし〔４〕のいずれかに記載の結線用構造に結線がなされてなる、ブラシレス励磁型回転電機の結線構造。
【００１０】
〔６〕  〔１〕ないし〔４〕のいずれかに記載の結線用構造のロータ鉄心側の絡げ部にロータ鉄心巻線端部を絡げて接続し、ロータトランス鉄心側の絡げ部にロータトランス鉄心巻線端部を絡げて接続することで両巻線を結線することを特徴とする、ブラシレス励磁型回転電機の製造方法。
〔７〕  〔５〕に記載の結線構造を備えた、ブラシレス励磁型回転電機。
〔８〕  〔５〕に記載の結線構造を備えた、シンクロ転電機。
〔９〕  〔５〕に記載の結線構造を備えた、レゾルバ。
【発明の効果】
【００１１】
本発明のブラシレス励磁型回転電機の結線用構造、結線構造、ブラシレス励磁型回転電機およびその製造方法は上述のように構成されるため、これらによれば、ロータ・ロータトランス巻線の結線作業において、はんだ接続部の絶縁作業や絶縁部の巻線箇所へのしまい込み作業を不要とすることができ、それによって製造時の作業性を向上させることができる。また、巻線結線部のしまい込みが製品精度に悪影響を及ぼしている可能性があるが、かかる問題も改善ですることができる。
【図面の簡単な説明】
【００１２】
【図１】本発明に係る結線用構造を備えたブラシレス励磁型回転電機の構成を示す断面図である。
【図２】図１に示した結線用構造を用いた結線方法を示す説明図である。
【図３】従来のブラシレス励磁型のシンクロ電機におけるロータ・ロータトランス巻線の結線方式を示す断面図である。
【発明を実施するための形態】
【００１３】
以下、図面により本発明を詳細に説明する。
図１は、本発明に係る結線用構造を備えたブラシレス励磁型回転電機の構成を示す断面図である。図示するように本ブラシレス励磁型回転電機の結線用構造１０は、ブラシレス励磁型回転電機２０のロータ鉄心２８とロータトランス鉄心２６の間に設けられた結線用構造であって、絶縁性の支持板２と、支持板２を貫通して設けられ各面側に突出した絡げ部４Ａ、４Ｂを有する導通手段３とからなり、導通手段３は、ロータ鉄心２８およびロータトランス鉄心２６双方の巻線２７、２５の各端部２７Ｂ、２５Ａを各絡げ部４Ｂ、４Ａに絡げて結線するためのものであることを、主たる構成とする。なお本結線用構造１０は、接着等によってロータ軸２９に固定される。
【００１４】
図２は、図１に示した結線用構造を用いた結線方法を示す説明図である。各図に示すように本発明結線用構造１０によれば、ロータ鉄心２８の巻線２７の端部２７Ｂを導通手段３の絡げ部４Ｂに絡げ、一方、ロータトランス鉄心２６の巻線２５の端部２５Ａを導通手段３の絡げ部４Ａに絡げることによって、ロータ・ロータトランス巻線の結線がなされる。なお、各巻線２７、２５の巻き終わりであるところの端部２７Ｂ、２５Ａは、絡げ部４Ｂ、４Ａに絡げられた後はんだ接続等すればよい。したがって、従来のような絶縁作業は不要となる。あるいは、せいぜいポッティング程度の作業で済むため、従来技術と比べて作業を簡略化することができる。
【００１５】
なお、導通手段３の形態や材質は、絶縁性の支持板２を貫通してその各面側に突出した絡げ部４Ａ、４Ｂを備えていて、これらに絡げられる巻き線端部２５Ａ、２７Ｂを導通させるものである限りいかなるものでもよいが、図示するようなピンの形態は構造も簡単であり、好適に用いることができる。このように本発明によれば、従来のような中継用のリード線を使用することなく、直接、巻線のマグネットワイヤ（絶縁物に覆われた導線）を絡げ部に絡げればよい。
【００１６】
また、図では本発明ブラシレス励磁型回転電機の結線用構造１０はロータトランス鉄心２６の端部に設けられた構成であるが、ロータ鉄心２８の端部に設ける構成としてもよい。
【００１７】
また、以上説明した結線用構造１０に結線がなされた状態のブラシレス励磁型回転電機の結線構造も本発明の範囲内であるとともに、結線用構造１０のロータ鉄心２８側の絡げ部４Ｂにロータ鉄心巻線端部２７Ｂを絡げて接続し、ロータトランス鉄心２６側の絡げ部４Ａにロータトランス鉄心巻線端部２５Ａを絡げて接続することで両巻線を結線するブラシレス励磁型回転電機の製造方法も、本発明の範囲内である。
【００１８】
さらに、シンクロ転電機やレゾルバ等、本発明ブラシレス励磁型回転電機の結線用構造を備えたブラシレス励磁型回転電機もまた、本発明の範囲内である。
【産業上の利用可能性】
【００１９】
本発明のブラシレス励磁型回転電機の結線用構造、結線構造、ブラシレス励磁型回転電機およびその製造方法によれば、ロータ・ロータトランス巻線の結線作業において、はんだ接続部の絶縁作業や絶縁部の巻線箇所へのしまい込み作業を不要とすることができ、製造時の作業性を向上させることができる。したがって、シンクロ、レゾルバといったブラシレス励磁型回転電機製造分野、および関連する全分野において、産業上利用性が高い発明である。
【符号の説明】
【００２０】
２…支持板
３…導通手段
４Ａ、４Ｂ…絡げ部
１０…ブラシレス励磁型回転電機の結線用構造
２０…ブラシレス励磁型回転電機
２５…ロータトランス巻線
２５Ａ…ロータトランス巻線の端部
２６…ロータトランス鉄心
２７…ロータ巻線
２７Ｂ…ロータ巻線の端部
２８…ロータ鉄心
２９…ロータ軸
【００２１】
９３…はんだ結線・絶縁処理部
９８…貫通穴
９１０…接続用リード線
９２０…従来のシンクロ電機
９２５…ロータトランス巻線
９２６…ロータトランス鉄心
９２７…ロータ巻線
９２８…ロータ鉄心
９２９…ロータ軸
【図１】
2017026531.tif 000003
【図２】
2017026531.tif 000004
【図３】
2017026531.tif 000005